(57)【要約】【課題】  ガラスパネルの下端に巾木を取付けたローパーティションであって、巾木の取付けが簡単で外れないようにしたローパーティションの提供。【解決手段】  ガラスパネル１の枠体を構成する下桟３の下側には凹部１８を設けると共に凹部１８の内側から嵌合片１９，１９を水平に延ばしている。この凹部１８に嵌めて嵌合片１９，１９を嵌合することで巾木取付け部材９を下桟３に取着する。そして巾木取付け部材９の上アーム先端に形成した上係合部１３，１３と下アーム先端に形成した下係合部１６，１６を巾木７，７の上下係合溝２０，２１に係合させることで巾木７は取付される。【選択図】    図２
2005240339.tif 000002
【特許請求の範囲】
【請求項１】
ガラスパネルの下端に巾木を取付けたローパーティションにおいて、ガラスパネルの枠体を構成する下桟の下側には凹部を設けると共に凹部の内側から嵌合片を水平に延ばし、この凹部に嵌めて嵌合片を嵌合することで巾木取付け部材を下桟に取着し、上記巾木取付け部材は中央基部の上端両側には上アームを延ばすと共に上アーム先端には嵌合溝を形成した取着部を設け、又取着部の下方へは上係合部を設け、上記中央基部の下端には概略Ｕ字状をした下アームを両側に設けると共に下アーム先端には下係合部を形成し、巾木には上係合溝と下係合溝を設けることで上記巾木取付け部材の上係合部と下係合部を上下係合溝に係合させたことを特徴とするローパーティション。
【請求項２】
ガラスパネルの上端には笠木取付け部材を介して笠木を取付けて構成し、笠木取付け部材は中央基部の両側へアームを延ばして先端には嵌合溝を形成した取着部を設け、そしてアーム途中には上記取着部との間に係合溝を残して係止片を起立し、この笠木取付け部材をガラスパネルの上桟上部に形成した凹部に嵌めると共に凹部内側から水平に延びる嵌合片を上記取着部の嵌合溝に嵌合し、笠木に設けた係合片を係合溝に嵌めて該係合片を笠木取付け部材の係止片に係止して取付けた請求項１記載のローパーティション。
【請求項３】
ペーパーコアなどの芯材の両面に表面材を貼着したパネルの下端に巾木を取付けたローパーティションにおいて、該パネルの表面材の下端を屈曲した両止着片間に凹部を設けると共に該凹部に嵌めて止着片を嵌合することで巾木取付け部材を取着し、上記巾木取付け部材は中央基部の上端両側には上アームを延ばすと共に上アーム先端には嵌合溝を形成した取着部を設け、又取着部の下方へは上係合部を設け、上記中央基部の下端には概略Ｕ字状をした下アームを両側に設けると共に下アーム先端には下係合部を形成し、巾木には上係合溝と下係合溝を設けることで上記巾木取付け部材の上係合部と下係合部を上下係合溝に係合させたことを特徴とするローパーティション。
【請求項４】
ペーパーコアなどの芯材の両面に表面材を貼着したパネル上端には笠木取付け部材を介して笠木を取付けて構成し、笠木取付け部材は中央基部の両側へアームを延ばして先端には嵌合溝を形成した取着部を設け、そしてアーム途中には上記取着部との間に係合溝を残して係止片を起立し、この笠木取付け部材をパネル表面材を屈曲した両止着片間の凹部に嵌めると共に止着片を上記取着部の嵌合溝に嵌合し、笠木に設けた係合片を係合溝に嵌めて該係合片を笠木取付け部材の係止片に係止して取付けた請求項１記載のローパーティション。
【請求項５】
上記巾木の表面側下端部には押下げ部を突出して形成した請求項１、請求項２、請求項３、又は請求項４記載のローパーティション。
【発明の詳細な説明】
【技術分野】
【０００１】
本発明は巾木を簡単にしかも安定して取付けることが出来る巾木取付け構造を備えたローパーティションに関するものである。
【背景技術】
【０００２】
間仕切り装置の下端には巾木が取付けられて、下端部の外観が損なわれないような構造と成っている。一般には床レールに配置したアジャスターに巾木を載置し、巾木の上にはパネルを載せて支持している。一方、ローパーティションの場合には床レールがなくて床面に直接配置したアジャスターネジによって適当な高さで支持される。従って、該アジャスターネジは外部に露出してローパーティションの外観が損なわれないように、巾木が取付けられて該アジャスターネジをカバーした構造となっている。
【０００３】
一般的にはパネル下端に係止して取付けられる場合が多いが、単に引掛けただけの取付け構造である為に安定せずにガタ付き、外部からの押圧力の作用で外れ落ちる場合が多い。そこで、巾木がガタ付くことなく安定して取付けられる構造として、特開平１０−１０２６４７号に係る「間仕切りにおける巾木の取付け構造」が知られている。
【０００４】
この取付け構造は、支柱を支持するアジャスター受けの下部に、巾木の下係止片が上下動不能に嵌る溝形の下係合部を形成し、巾木の上係止片はパネルの下端面と上係合部材との間の隙間に弾性に抗して嵌め込まれる。上係合部材はパネルに固着され、表裏巾木の高さ寸法に製造誤差があっても、両方の巾木とも上係合部材と下係合部材との間に弾性に抗して引っ掛かった状態になるため、ガタ付いたり外れ易くなったりすることが防止される。
【０００５】
その為に、アジャスター受けの上部に、支柱の下端部が横ズレ不能に嵌る嵌合部と、該嵌合部に嵌合した支柱の下端面が載るフランジとを形成し、アジャスター受けの下部に、巾木の下係止片が弾性に抗して上下動不能に嵌り係合する外向き開口溝形の下係合部を形成している。このように、該巾木の取付け構造は非常に複雑化し、その結果、製作コストは高くなってしまう。
【０００６】
巾木は上係合部材と下係合部材との間に弾性に抗して引っ掛けられているが、巾木下端部に押圧力が作用するならば、例えば下端部を足で蹴るなどすると、上係合部材から巾木の上係止片が外れてしまう。すなわち、取付けの安定性にまだ問題が残されている。
【特許文献１】特開平１０−１０２６４７号に係る「間仕切りにおける巾木の取付け構造」
【発明の開示】
【発明が解決しようとする課題】
【０００７】
このようにローパーティションにおける従来の巾木取付け構造には上記のごとき問題がある。本発明が解決しようとする課題はこの問題点であり、至って簡単な構造にて巾木の取付けが出来ると共に、例えば足で蹴っても外れ落ちることのない巾木の取付け構造を備えたローパーティションを提供する。又、笠木の取付けも同じような構造で簡単に行うことが出来るローパーティションを提供する。
【課題を解決するための手段】
【０００８】
本発明に係るローパーティションは、パネル下端に巾木取付け部材を取着し、この巾木取付け部材に巾木を取付けることが出来るように構成している。ここで巾木取り付け部材は上係合部と下係合部を両側に設け、巾木は上下係合に弾性に抗して取付けられる。前記特開平１０−１０２６４７号に係る「間仕切りにおける巾木の取付け構造」と共通しているが、巾木の形態及び巾木取付け部材の形態並びにパネル下端への取着構造は違っている。
【０００９】
巾木取付け部材は長さの短い樹脂製ピースで構成されて、中央部には中央基部を有し、該中央基部の上端には両側(表裏側)へ延びる上アーム先端に取着部を設け、該取着部の下側には上記上係合部を形成している。又、中央基部の下端には両側(表裏側)へ延びる下アームの先端に下係合部を形成している。そして、下アームは下方へ凸状に湾曲した概略Ｕ形形態を成して撓み変形することが出来る。巾木には上記上係合部が係合する上係合溝を有し、下係合部が係合する下係合溝を形成している。
【００１０】
そして、巾木取付け部材の上アーム先端に設けている取着部には嵌合溝を形成し、パネル下端に設けている嵌合片が該嵌合溝に嵌って取付けられる。該嵌合片はガラスパネルの場合にはガラス枠の下桟に設けられ、ペーパーコアなどの芯材に金属製の表面材を貼着したパネルの場合には、表面材の下端部を屈曲した止着片が嵌合片を形成することが出来る。
【００１１】
一方、パネル上端に取付けられる笠木の取付け構造も同じく、笠木取付け部材をパネル上端に取着し、該笠木取付け部材に笠木をワンタッチで取付けできる構造としている。そこで、笠木取付け部材はその両側(表裏側)に取着部を設けると共に嵌合溝を形成し、該嵌合溝にパネル上端に設けている嵌合片を嵌合して取着する。そして、笠木取付け部材には係止片を設け、該係止片に笠木に設けた係合片を係止することでワンタッチ取付けを可能とする。
【発明の効果】
【００１２】
本発明に係るローパーティションは、その巾木及び笠木が簡単に取付けられ、しかもガタ付くことなく安定した取付けが可能と成る。すなわち、巾木の場合にはパネル下端に巾木取付け部材を取着し、該巾木取付け部材の上係合部及び下係合部を介して取付け出来る。そして下係合部は概略Ｕ形に湾曲したアーム先端に形成される為に、該アームは撓み変形することが出来、該アームを下方へ撓ませることで巾木の取付けが可能と成る。そして、アームの弾性力が巾木に付勢される為にガタ付くことなく安定して取付けられると共に、アームを下方へ撓ませない限り巾木が外れることはない。
【００１３】
一方、笠木の場合もパネル上端に笠木取付け部材を取着し、該笠木取付け部材を介して笠木をワンタッチで取付け出来る。ここで、巾木取付け部材は取着部に形成した嵌合溝にパネル上端の嵌合片をはめることで取付け出来、笠木取付け部材もパネル上端の凹部に嵌ると共に嵌合片に取付けることが出来る。
【実施例】
【００１４】
図１は本発明に係るローパーティションの縦断面を示す実施例であり、ガラスパネルで構成されている。ガラスパネル１は上桟２と下桟３の間に中桟４，４・・を有し、両縦桟にて枠組みされ、各桟に枠組みされた空間にはガラス板５，５・・が嵌っている。そして、ガラスパネル１を連結するスタッドの下端にはアジャスターネジ６が取付けられて適当な高さに支持され、ガラスパネル１と床面間の隙間をカバーする為に巾木７，７が両側(表裏側)に取付けられている。又、ガラスパネル１の上端には笠木８が取付けられている。ここで、本発明は巾木の取付け構造及び笠木の取付け構造に特徴を有すものであり、ローパーティション全体の形態は限定しない。
【００１５】
図２にはガラスパネル下端部と上端部の詳細図を示しているように、ガラスパネル１の枠体を構成する下桟３には巾木取付部材９が取着され、この巾木取付け部材９に巾木７，７が取付けられている。該巾木取付け部材９は図３に示しているが、長さＬの短い樹脂製のピースで構成される。巾木取付け部材９は中央基部１０を有し、中央基部１０の上端には上アーム１１，１１を両側に延ばしていて、上アーム先端には取着部１２，１２を設けている。
【００１６】
そして、取着部１２，１２の下側には上係合部１３，１３を形成し、又細幅の嵌合溝１４，１４を形成している。この嵌合溝１４，１４の深さは点線で示しているように湾曲して一部分が大きく成っていて、下桟３の凹部１８に回転して取付けられる。また、中央基部１０の下端には概略Ｕ字状に湾曲した下アーム１５，１５を設け、該下アーム１５，１５の先端には下係合部１６，１６を形成している。ここで、上アーム１１，１１にはリブ１７，１７を形成することで撓み変形しないように強度を高めているが、下アーム１５，１５は撓み変形可能と成っている。
【００１７】
上記ガラスパネル１の下桟３には上記凹部１８が下側に設けられ、この凹部１８に巾木取付け部材９の両取着部１２，１２が嵌り、該凹部１８の両側面から突出した嵌合片１９，１９が取着部１２，１２に形成している嵌合溝１４，１４に嵌合することが出来、巾木取付け部材９は下桟３に取着され、凹部１８に取着部１２，１２が嵌合することで位置決めも行われる。すなわち、凹部１８の幅寸法はＬより小さくて、両取着部１２，１２を凹部１８に嵌めた状態で９０°回転するならば、凹部内側から水平に延びる嵌合片１９，１９が嵌合溝１４，１４に嵌合して取付けられる。
【００１８】
図４は巾木７を示しているが、所定断面の長尺材を成して上部には上係合溝２０を有し、下部には下係合溝２１を設けている。そして、上係合溝２０には上係合部１３が嵌り、下係合溝２１には下係合部１６が嵌合して取付けられる。図２は巾木取付け部材９の上嵌合部１３と下係合部１６に巾木７が取付けられた場合である。ところで、該巾木７を取付ける場合、下係合溝２１に下係合部１６を嵌めて上方から下方へ押圧するならば下アーム１５は撓み変形し、この状態で上係合溝２０に上係合部１３を嵌めることが出来る。
【００１９】
巾木上端部には傾斜した導入片２２が設けられ、下アーム１５をある程度撓ませたところで巾木７の表面を押圧するならば、上係合部１３が導入片２２に当ることで下アーム１５は押下げられ、上係合部１３は導入片２２を乗り越えて上係合溝２０に嵌ることが出来る。このように取付けられた巾木７は、外力が作用しても外れることはなく、下方へ押下げて下アーム１５を撓ませない限り離脱しない。そこで、該巾木７の表面下端部には押下げ部２３が突出して形成され、巾木７を取外す場合には、該押下げ部２３に当てて押下げることが出来るようにしている。
【００２０】
一方、ガラスパネル１の上端には笠木８が取付けられているが、上桟２に笠木取付け部材２４を取着し、この笠木取付け部材２４を介して笠木８が取付けられている。図５は笠木取付け部材２４を示しているが、長さＭの短い樹脂製部材で構成している。
【００２１】
笠木取付け部材２４は同図に示すごとく中央基部２５からアーム２６，２６を両側へ延ばし、アーム２６，２６の先端には取着部２７，２７を設けている。そして、取着部２７，２７の外側面から２本の細幅の嵌合溝２８，２８・・が形成され、又アーム２６，２６の途中には係止片２９，２９を起立し、該係止片２９，２９と取着部２７，２７との間は係合溝３０，３０と成っている。
【００２２】
ガラスパネル１の上桟２の上部には図２に示すように凹部３１が形成され、この凹部３１に両取着部２７，２７が嵌合すると共に、凹部内側面から水平に延びる嵌合片３２，３２が嵌合して取付けられる。取付け方法は凹部３１に笠木取付け部材２４を嵌めて９０°回転することで図２に示すように取付けられる。笠木取付け部材２４はその両取着部２７，２７が凹部３１に嵌合することで正しく位置決めされ、しかも嵌合溝２８，２８・・が上下２箇所に設けられていることで、笠木取付け部材２４の取付け高さを調整できる。
【００２３】
図６には笠木８を示しているように、所定断面の長尺材である。該笠木８は上桟２の上面に両脚３３，３３を介して載置され、そして湾曲した係合片３４，３４は笠木取付け部材２４の係合溝３０，３０に嵌って係止片２９，２９に係止して取付けられる。笠木取付け部材２４，２４はガラスパネル１の上端両側に取着され、この両笠木取付け部材２４，２４を介して笠木８はワンタッチでしかも安定して取付けられる。
【００２４】
図７は別のパネル３５で構成したローパーティションの縦断面を表しているが、一部にガラスパネル１も組み込まれている。該パネル１はペーパーコア３６を心材として両面に金属製の表面材３７，３７が貼着されている。そしてパネル３５の上端には笠木８が取付けられ、下端には巾木７，７が取付けられている。勿論、アジャスターネジ６も備わっていて、スタッドに連結した該パネル３５を適度な高さに支えている。
【００２５】
図８はパネル上端の笠木８の取付け構造とパネル下端の巾木７，７の取付け構造を示す詳細図である。パネル下端には前記図１、図２に示した実施例の場合と同じく、巾木取付け部材９が取着され、この巾木取付け部材９に巾木７，７が取付けられる。巾木７の取付け構造は同じであるが、巾木取付け部材９をパネル下端に取着する形態を異にしている。
【００２６】
パネル３５の表面材３７，３７は下端にて内側へ屈曲し、この屈曲して形成した止着片３８，３８に巾木取付け部材９が取着される。図３に示すように、巾木取付け部材９の取着部１２，１２には嵌合溝１４，１４が設けられ、この嵌合溝１４，１４に止着片３８，３８が嵌合して取付けられる。取付け方法は前記実施例の場合と同じく、両止着片３８，３８の間に形成される凹部に両取着部１２，１２を嵌めると共に、９０°回転することで同図に示す向きに取付けられる。巾木取付け部材９が取着されたところで、巾木７，７が両面側に取付けられる。
【００２７】
すなわち、前記実施例のガラスパネル１の場合には下桟３を有し、この下桟３の凹部１８に巾木取付け部材９の取着部１２，１２を嵌めると共に、凹部内側面から水平に延びる嵌合片１９，１９が嵌合溝１４，１４に嵌入した構造としているが、パネル３５では下桟３を設けておらず、表面材３７，３７を屈曲して形成した止着片３８，３８を嵌合溝１４，１４に嵌入して取付けしている。
【００２８】
一方、笠木８の取付け構造の場合も、該笠木８を取付ける笠木取付け部材２４はパネル表面材３７，３７を屈曲して形成した止着片３８，３８に取着される。すなわち、両止着片３８，３８の間に向きを変えて笠木取付け部材２４を嵌め、この笠木取付け部材２４の取着部２７，２７に形成している嵌合溝２８，２８に止着片３８，３８が嵌るように９０°回転することで取着される。そして、取着された笠木取付け部材２４には、前記図６に示す場合と同じように笠木８の係合片３４，３４を係合溝３０，３０に嵌めると共に係合片３４，３４を係止片２９，２９に係止して取付けられる。
【図面の簡単な説明】
【００２９】
【図１】本発明のローパーティションの縦断面図。
【図２】ローパーティションに上端部と下端部の詳細図。
【図３】巾木取付け部材。
【図４】巾木を示す具体例。
【図５】笠木取付け部材。
【図６】笠木の具体例。
【図７】本発明のローパーティションの縦断面図。
【図８】ローパーティションに上端部と下端部の詳細図。
【符号の説明】
【００３０】
１  ガラスパネル
２  上桟
３  下桟
４  中桟
５  ガラス板
６  アジャスターネジ
７  巾木
８  笠木
９  巾木取付け部材
10  中央基部
11  上アーム
12  取着部
13  上係合部
14  嵌合溝
15  下アーム
16  下係合部
17  リブ
18  凹部
19  嵌合片
20  上係合溝
21  下係合溝
22  導入片
23  押下げ部
24  笠木取付け部材
25  中央基部
26  アーム
27  取着部
28  嵌合溝
29  係止片
30  係合溝
31  凹部
32  嵌合片
33  脚
34  係合片
35  パネル
36  ペーパーコア
37  表面材
38  止着片
【図１】
2005240339.tif 000003
【図２】
2005240339.tif 000004
【図３】
2005240339.tif 000005
【図４】
2005240339.tif 000006
【図５】
2005240339.tif 000007
【図６】
2005240339.tif 000008
【図７】
2005240339.tif 000009
【図８】
2005240339.tif 000010